(57)【特許請求の範囲】
【請求項１】
内部に物品を固定させる固定部１６と、動画を出力するディスプレイ部３０と、音声を出力する音声出力部４５と、前記動画を前記ディスプレイ部に出力するマルチメディア制御手段４０と、前記動画を保存するメモリ部４２と、カバーの開放を感知する感知部４７と、電源を供給する電源部４６とを含むケース１０であって、
前記ケース１０のメモリ部４２には、ユーザーがケース１０の前記ディスプレイ部２０に出力させたい動画が生成されてから保存され、
前記ケース１０の収納部１１に設けられた固定部１６には前記ユーザーが相手に伝達しようとする物品が固定され、
前記ケース１０の感知部４７は、前記伝達すべき物品及び動画が含まれたケース１０が相手に伝達された後、相手が前記物品と動画が含まれたケース１０のカバー１２を開放するとき、前記カバーの開放を感知し、
前記ディスプレイ部２０は、前記感知部４７がカバー１２の開放を感知すると、メモリ部４２に保存された動画をデコーディング部４８でデコードして生成された動画を表示し、
前記音声出力部４５は、前記感知部４７がカバー１２の開放を感知すると、メモリ部４２に保存された音声をデコーディング部４８でデコードして生成された音声を出力するように構成され、
前記ケース１０はカバー１２と本体２２を含み、
前記本体２２には、上部にディスプレイ部３０が配置され、その下側に貴重品を輸納する収納固定部１６及び感知部４７が配置され、前記カバー１２にはカバーが覆われた状態でもディスプレイ部３０が見られるようにするウィンドウ１８が配置されることを特徴とする、マルチメディアディスプレイが可能な収納ケース。
【請求項２】
前記ケースは、メモリ部に動画を保存させる装置に、外部端末機を通じて生成された動画を外装型メモリカードに保存してから前記メモリ部に保存させる機能を付与するために、前記メモリカードが挿入される入力ポート部をさらに含むことを特徴とする、請求項１に記載のマルチメディアディスプレイが可能な収納ケース。
【請求項３】
前記ケースの収納部は、前記固定部１６に固定された物品に光を照射するためのムードランプ１７をさらに含むことを特徴とする、請求項２に記載のマルチメディアディスプレイが可能な収納ケース。
【発明の詳細な説明】
【技術分野】
【０００１】
本発明はマルチメディアディスプレイが可能な収納ケースに係り、より詳しくはケースの一側にディスプレイ部を備えたマルチメディアディスプレイが可能な収納ケースに関する。
【背景技術】
【０００２】
ケースとは内部に収納空間が形成されている収納部と収納部を密閉することができるカバー部（ふた）とからなり、一般的に物品を収納させるときに多く使われる。
【０００３】
製作素材としては、プラスチック系の合成樹脂、紙類、ガラス、金属などの多様な素材で製作され、多様なコメント、イメージ、模型などがケースの表面や内部に表現されている。
【０００４】
このようなケースの使用実施例の１つとしては、誕生日、記念日などの特別な日の指輪、宝石、化粧品などを輸納して相手にプレゼントするときに包装物として多く使われる。この際、ケースの内部に輸納された物品も重要であるが、その物品を輸納するケースも高級な雰囲気（美麗さ）を演出するために、きれいな包装紙で包装をするかあるいはリボンのような演出用アクセサリーを付着することでより美しく贈物を提供することができる。
【０００５】
包装やアクセサリーの付着だけで不足な美麗さを演出するための一例として、図１に示すように、従来に提案された発光ケースがある。
【０００６】
図示の発光ケース１は、プロポーズ、贈物、ケーキ、宝石、化粧品、文具などの多様な物品を輸納して保管ないし移動可能な発光ケースであって、物品を輸納することができるケース収納部１００、前記ケース収納部の上側に被せられて収納物品を密封し、その中央一側にケース収納部内に収納された物品を確認することができる透明窓１３０が設けられているケースカバー部１０１、前記透明窓には透明ディスプレイ板１１０が挿着されており、その透明ディスプレイ板の端部切断面を通じて光を照射する少なくとも１つの発光ダイオード１２０、ＰＣＳ基板に実装されて前記発光ダイオードの点滅を制御する発光制御部１５０、前記発光ダイオードに電力を供給する電池、及びケースの振動または光照射量感知部の感知信号によって自動で作動するかまたは前記発光制御部を選択的に作動させるスイッチ部１４０から構成されている。
【０００７】
前述したように、従来の発光ケース１は、一実施例として、ユーザーが他人に指輪のような宝石類をプレゼントするとき、ケースのカバー１０１をオープンすると、スイッチ部１４０でカバーの開放を感知して、メロディーまたは背景音楽を出すとともにディスプレイ板の側面に設置された発光ダイオード１２０が動作してディスプレイ板１１０に形成された文句や模様に光を照射して美しさを演出する。
【０００８】
また、収納部に収納されている物品をカバー１０１の開閉なしにも透明窓１３０を通じて確認することができる。
【０００９】
しかし、このような従来の発光ケースは、工場での生産の際に各種の文句や模様が任意に形成されて販売されているため、ケースを必要とするユーザーには演出しようとする文句や模様の選択に制限が伴うことになる問題点がある。
【００１０】
また、文句や模様に発光ダイオードを通じて光を照射するかユーザーが録音したコメントを録音する単純な機能で演出効果を大きく期待することができない欠点がある。
【発明の概要】
【発明が解決しようとする課題】
【００１１】
前記のような目的を達成するために、本発明は、ユーザーが直接製作するか、多様な動画、オーディオ、コメントなどを自由に選択してケースから出力することにその目的がある。
【００１２】
また、外部端末機またはメモリカードによってマルチメディアを容易に入力することができるようにすることにその他の目的がある。
【００１３】
また、プレゼント用ケースだけでなく、テーブルや机に載せておき、カレンダー、デジタル写真アルバムなどの飾り用として使用できるようにすることにそのさらに他の目的がある。
【課題を解決するための手段】
【００１４】
前記目的を達成するために、本発明は、内部に物品を固定させる固定部と、動画を出力するディスプレイ部と、音声を出力する音声出力部、前記動画を前記ディスプレイ部に出力するマルチメディア制御手と、前記動画を保存するメモリ部、カバーの開放を感知する感知部、そして電源を供給する電源部を含むケースであって、前記ケースのメモリ部には、ユーザーがケースの前記ディスプレイ部に出力させたい動画が生成されてから保存され、前記ケースの収納部に設けられた固定部には前記ユーザーが相手に伝達しようとする物品が固定され、前記ケースの感知部は、前記伝達すべき物品及び動画が含まれたケースが相手に伝達された後、相手が前記物品と動画が含まれたケースのカバーを開放するとき、前記カバーの開放を感知し、前記ディスプレイ部は、前記感知部がカバーの開放を感知すると、メモリ部に保存された動画をデコーディング部でデコードして生成された動画を表示し、前記音声出力部は、前記感知部がカバーの開放を感知すると、メモリ部に保存された音声をデコーディング部でデコードして生成された音声を出力するように構成された、マルチメディアディスプレイが可能な収納ケースを提供する。
【００１５】
前記ケースはカバーと本体を含み、前記本体には、上部にディスプレイ部が配置され、その下側に貴重品を輸納する収納固定部及び感知部が配置され、前記カバーにはカバーが覆われた状態でもディスプレイ部が見られるようにするウィンドウが配置されることができる。
【００１６】
前記ケースは、メモリ部に動画を保存させる装置に、外部端末機を通じて生成された動画を外装型メモリカードに保存してから前記メモリ部に保存させる機能を付与するために、前記メモリカードが挿入される入力ポート部をさらに含むことができる。
【００１７】
前記ケースの収納部は、前記固定部に固定された物品に光を照射するためのムードランプをさらに含むことができる。
【発明の効果】
【００１８】
前記のように構成されて作用する本発明は、動画、オーディオ、音声コメントなどのマルチメディアを贈物の保管されたケースを通じて他人に提供することによって、贈り物をもらう相手に一層高い感動を与えることができる効果がある。
【００１９】
また、ユーザーが直接製作するかあるいは所望のマルチメディアを保存して提供することができるので、マルチメディアをユーザーが直接選択して容易に適用することができる効果がある。
【００２０】
また、外部端末機またはメモリカードを用いてマルチメディアを容易に入力することができる利点がある。
【図面の簡単な説明】
【００２１】
【図１】従来技術による発光ケースを示す斜視図である。
【図２】本発明によるマルチメディアディスプレイが可能な収納ケースを示す斜視図である。
【図３】本発明によるケースの分解図である。
【図４】本発明によるマルチメディア制御手段の構成図である。
【図５】本発明によるケースの入力ポート部とメモリカード挿入部を示す斜視図である。
【図６】本発明によるムードランプの動作状態を示す斜視図である。
【図７】本発明によるケースの動作実施例を示す斜視図である。
【図８】本発明によるケースの動作実施例を示す斜視図である。
【図９】本発明による他の実施例を示す斜視図である。
【発明を実施するための形態】
【００２２】
以下、添付図面に基づいて本発明によるマルチメディアディスプレイが可能な収納ケースを詳細に説明すると次のようである。
【００２３】
図２は本発明によるマルチメディアディスプレイが可能な収納ケースを示す斜視図、図３は本発明によるケースの分解図、図４は本発明によるマルチメディア制御手段の構成図である。
【００２４】
また、図５は本発明によるケースの入力ポート部とメモリカード挿入部を示す斜視図、図６は本発明によるムードランプの動作状態を示す斜視図、図７及び図８は本発明によるケースの動作実施例を示す斜視図である。
【００２５】
本発明によるマルチメディアディスプレイが可能な収納ケースは、大別して、収納部１１及びカバー１２でなるケース１０と、前記ケース１０のカバー１２に固定的に設けられるディスプレイ部３０と、前記収納部１１に設けられ、物品を固定させる固定部１６と、前記ディスプレイ部３０にマルチメディアを出力するマルチメディア制御手段４０とからなる。
【００２６】
図２に示すように、ケース１０は、大別して収納部１１とカバー１２でなり、ヒンジで結合されて開閉可能に構成されている。前記収納部１１は内部に物品を保管するように収容空間が形成されており、一面は開放した構造を持つ。
【００２７】
前記カバー１２は内部に所定容積の空間部が形成されており、一面が開放した構造を持ち、前記収納部１１の開放した一面と互いに見合うように結合されるもので、前記収納部１１の収容空間を前記カバー１２が密閉させる。
【００２８】
前記収納部１１とカバー１２はヒンジ１３によって連結されており、前記カバー１２が開閉するときに前記カバー１２に開閉力を加えるために、前記ヒンジ１３の両端にリーフスプリング１４が結合されている。
【００２９】
また、前記ヒンジ１３がケース１０に固定されているときに外部に露出することを防止するためのヒンジカバー１５が前記ヒンジ１３を遮るように設置されている。
【００３０】
また、前記収納部１１の収容空間には、収容される物品を固定させる固定部１６が収容空間に挿設されている。前記固定部１６は、天然皮革、人造皮革、スポンジのような素材でなり、指輪やネックレス、宝石、時計、めがねなどのような物品が前記収納部１１内に遊動しないように固定させることができるスリットが形成されているので、このスリットに物品を差し込んで固定する。
【００３１】
一方、前記収納部１１の開放縁部に沿ってはムードランプ１７が設けられる。前記ムードランプ１７は透明材質のアクリルで製作され、発光ダイオード（ＬＥＤ）のような発光手段が結合されるか、あるいは前記ムードランプ１７そのものが発光手段でなって発光するもので、前記カバー１２が開閉すると、前記ムードランプ１７が発光して柔らかな照明を前記固定部１６に固定された物品に照射する。
【００３２】
これは、前記収納部１１に収納される物品の中でも、特に宝石類の場合に柔らかい光を照射することで一層高い美しさを演出させることができるものである。前記ムードランプ１７は後述したマルチメディア制御手段４０によって電源を受けて動作する。
【００３３】
ディスプレイ部３０はマルチメディアを出力するためのもので、前記カバー１２の空間部内に設置される。ここで、マルチメディアは動画ファイル、オーディオファイル、イメージファイルまたはユーザーが直接製作した動画、オーディオファイル、コメントなどを意味する。
【００３４】
より具体的に、動画の場合は、ＡＶＩ、ＭＰＥＧ、ＷＭＶ、ＡＳＦ、ＲＭ、ＶＣＤなどがあり、オーディオファイルの場合は、ＭＰ３、ＷＡＶ、ＣＤＡなどのようにエンコードされた多様なファイル形式のマルチメディアである。また、ユーザー直接製作した動画ファイル、オーディオファイルまたはコメント（文句）をファイルにエンコードしたものもよい。
【００３５】
このようなマルチメディアを出力する前記ディスプレイ部３０としてはＬＣＤ（ｌｉｑｕｉｄ  ｃｒｙｓｔａｌ  ｄｉｓｐｌａｙ）パネルが最適であるが、ＰＤＰまたはＯＬＥＤ（Ｏｒｒａｎｉｃ  Ｌｉｇｈｔ  Ｅｍｉｔｔｉｎｇ  Ｄｉｏｄｅｓ）を使うこともできる。
【００３６】
前記ディスプレイ部３０が前記カバー１２の空間部に固定されるとき、周縁部を仕上げるための全面パネル３１が固定される。また、前記全面パネル３１の一側には、本発明によるマルチメディアディスプレイが可能なケース１０の製作社名や製品名がシルク印刷またはレーザーカッティングによって印刷されることができ、必要によってはユーザーが所望の文句を印刷することもできる。
【００３７】
図３は本発明によるマルチメディア制御手段の構成図である。
【００３８】
マルチメディア制御手段４０は前記ディスプレイ部３０にマルチメディアを出力するための手段で、ＰＣＢ基板に実装されて前記収納部１１またはカバー１２の内側に設置される。
【００３９】
前記マルチメディア制御手段４０は、マルチメディアを保存するメモリ部４２と、外部端末機と連結される入力ポート部４４と、前記カバー１２の開放を感知する感知部４７と、保存されたマルチメディアを前記ディスプレイ部３０に出力するためにデコードするデコーディング部４８と、前記感知部４７によってカバーの開放が感知されると、保存されたマルチメディアを前記ディスプレイ部３０に出力するように制御する制御部４１と、電源部４６とからなる。
【００４０】
前記メモリ部４２は、ＰＣのような外部端末機からマルチメディアを受けて保存する。この際、ＩＥＥＥ  １３９４通信ケーブルを介して外部端末機と入力ポート部４４を連結して、外部端末機から動画やオーディオファイルのようなマルチメディアを保存することができる。
【００４１】
また、前述したメモリ部４２の外にも外装型のメモリの使用も可能である。これは、前記マルチメディア制御手段３０に別途のインターフェース部４３を備え、外装型のメモリカード（ＳＤカード、ＸＤカード、ＣＦカードなど）を介してマルチメディアを受けることができる。外装型のメモリカードが使われる場合には、ＰＣにマルチメディアを保存し、これを前記収納部１１の下部側に形成されたメモリカード挿入部５０に挿入すると、前記インターフェース部４３が認識して、外装型メモリカードに保存されたマルチメディアを受けることができるものである。
【００４２】
したがって、ユーザーは外装型のメモリカードに外部端末機を用いてマルチメディアを保存し、前記メモリカード挿入部５０にメモリカードを結合すると良い。
【００４３】
一方、前記メモリカード挿入部５０は外部からほこりや汚物の浸入を防止するラバーカバー５１を備えることで、選択的に前記メモリカード挿入部５０を密閉させることができる。
【００４４】
前記メモリ部４２または外装型メモリカードを介して受けた、多様な方式でエンコードされたマルチメディアはデコーディング部４８によってデコードされて前記ディスプレイ部３０に出力する。前記デコーディング部４８はＭＰＥＧ−１、ＭＰＥＧ−２、ＭＰＥＧ−４、ＭＰＥＧ−７、Ｄｉｖｘ、Ｘｖｉｄ、ＷＭＶ、ＭＰ３、ＤＴＳなどのデコーディング技術によってデコードする。
【００４５】
感知部４７は、ユーザーが前記カバー１２を開放すると、これを感知して前記ディスプレイ部３０にマルチメディアを出力するために前記カバー１２の開放を感知するものである。
【００４６】
前記感知部４７としては、磁石を用いたスイッチやセンサー、プッシュプル（ｐｕｓｈ−ｐｕｌｌ）スイッチなどの多様な形態のスイッチを用いて具現できるもので、本発明の一実施例においては、図６に示すように、前記収納部１１が密閉されるとき、前記カバー１２と接する部分にスイッチを設置することで、前記カバー１２を開けばスイッチがオン（ＯＮ）してマルチメディアを前記ディスプレイ部３０に出力する。
【００４７】
また、前記マルチメディア制御手段３０は音声出力部４５を備える。前記音声出力部４５はマルチメディアが出力されるときに音声を出力するためのもので、一般的なスピーカーが使われることができる。マルチメディアが動画形態でないオーディオあるいはユーザーが録音したコメントの場合には、前記音声出力部４５を通じてオーディオまたはコメントが出力される。前記音声出力部４５は前記カバー１２または収納部１１の底面に設置できる。
【００４８】
電源部４６はマルチメディアを出力するために必要な電源を前記マルチメディア制御手段４０に供給するもので、前記ケース１０の一側にバッテリー収納部（図示せず）が形成され、バッテリー（電池）から電源を受ける。
【００４９】
そして、制御部（ＣＰＵ）４１は、前記カバー１２の開放を前記感知部４７で認識すると、保存されたマルチメディアをデコードして前記ディスプレイ部３０に出力するように前記マルチメディア制御手段４０を全般的に制御する。
【００５０】
また、必要に応じてユーザーが操作して前記ディスプレイ部３０に出力されるマルチメディアを制御することができるボタン部４９を備えることで、マルチメディアの再生速度、停止、早送り、巻き戻しの機能をすることができる。
【００５１】
次に、本発明によるマルチメディアディスプレイが可能な収納ケースの一実施例として、指輪ケースに適用した場合の使用実施例を説明すると次のようである。
【００５２】
ユーザーがケース１０のディスプレイ部３０に出力させたい動画、オーディオ、コメントなどのマルチメディアファイルを外部端末機を用いてメモリ部４２に直接保存するか、あるいはメモリカードに保存してメモリカード挿入部５０に結合してマルチメディアを入力させる。
【００５３】
また、ユーザーが準備した指輪は固定部１６に差し込んでカバー１２を閉めておく。指輪ケース１０をもらった相手がカバー１２を開放すると、マルチメディア制御手段４０の感知部４７は前記カバー１２の開放を感知し、メモリ部４２及びインターフェース部４３を介してメモリカードに保存されたマルチメディアをデコーディング部４８でデコードしてディスプレイ部３０または音声出力部４５に出力する。
【００５４】
図７及び図８を参照すると、例えばユーザーが恋人にプロポーズしようとするときは、プロポーズに関連した動画、ラブソング、“あなたを愛します”、“わたしと結婚してください！”のようなユーザーが製作したコメントを出力するようになるものである。
【００５５】
マルチメディア出力と同時にムードランプ１７が動作して前記固定部１６に固定されている指輪に柔らかい光を照射させることで、一層引き立たせられて演出される指輪を相手がもらうようになるものである。
【００５６】
このように構成される本発明は、ユーザーが望む多様なマルチメディアを選択的に保存し、ディスプレイ部を通じて提供するので、高級な雰囲気を演出することができ、よってケースをもらった相手に大きな感動を与えることができる。
【００５７】
次に、本発明によるマルチメディアディスプレイが可能な収納ケースの他の一実施例としてネックレスケースに適用する場合の使用実施例を説明すると次のようである。
【００５８】
図９を参照すると、ユーザーがケース１０のディスプレイ部３０に出力させたい動画、オーディオ、コメントなどのマルチメディアファイルを、外部端末機を用いてメモリ部４２に直接保存するか、あるいはメモリカードに保存してメモリカード挿入部５０に結合してマルチメディアを入力させる。
【００５９】
また、ユーザーが準備したネックレスは固定部１６に固定してからカバー１２を閉めておく。ネックレスケースをもらった相手がカバー１２を開放すると、マルチメディア制御手段４０の感知部４７は前記カバー１２の開放を感知し、メモリ部４２及びインターフェース部４３を介してメモリカードに保存されたマルチメディアをデコーディング部４８でデコードしてディスプレイ部３０や音声出力部４５に出力する。
【００６０】
この際、この実施例はカバー１２と本体２２とに分けられ、カバー１２にはウィンドウ１８が設けられ、前記カバー１２は本体２２を覆うことができるように配置される。
【００６１】
また、前記本体２２は上部にディスプレイ部３０が配置され、その下側にはネックレスを輸納する収納固定部１６が配置され、前記カバー１２が本体２２から開放されると、これを感知部４７で感知し、この感知信号を受けた制御部４１はディスプレイ部３０と音声出力部４５を通じて映像と音声を出力する。
【００６２】
以上、本発明の原理を例示するための好適な実施例に基づいて説明するとともに示したが、本発明はこのように示すか説明したような構成及び作用に限定されるものではない。
【００６３】
添付の請求範囲の思想及び範疇を逸脱しない範囲内で本発明の多くの変更及び修正が可能であることが当業者は易しく理解可能であろう。したがって、そのようなすべての適切な変更及び修正と均等物も本発明の範囲に属するものとして見なさなければならないであろう。
【産業上の利用可能性】
【００６４】
本発明は、ケースの一側にディスプレイ部を備えたマルチメディアディスプレイが可能な収納ケースに適用可能である。
【符号の説明】
【００６５】
１０：ケース
１６：固定部
３０：ディスプレイ部
４０：マルチメディア制御手段
５０：メモリ挿入部
【図８】
0005392583.tif 000002
【図９】
0005392583.tif 000003
【図１】
0005392583.tif 000004
【図２】
0005392583.tif 000005
【図３】
0005392583.tif 000006
【図４】
0005392583.tif 000007
【図５】
0005392583.tif 000008
【図６】
0005392583.tif 000009
【図７】
0005392583.tif 000010